(57)【要約】【課題】  微量試料の混合や液体試料と試料片との混合であっても十分に行えるマイクロチューブのショック装置の提供。【解決手段】  基体２１に設けられたモータ２２で駆動される垂直軸２３と、該垂直軸２３の上端に嵌着し得る中心軸３１を有し、周辺に複数のマイクロチューブ４０を取り付けるための舌片３２を有する回転可能な円板３０に、該舌片３２の外周側にマイクロチューブ４０を嵌着し得る板バネからなるマイクロチューブホルダー４１を、一定の角度で左右に可動で常時は取り付けられたマイクロチューブ４０が垂直になるよう弾性的に取り付けられるようにしたマイクロチューブ駆動装置２０と、基体２１に固定されたＬ字状アーム５１に、前記回転円板３０の周囲のマイクロチューブホルダー４１に嵌着されたマイクロチューブ４０の先端部に衝突する衝突軸５２を設けたショック付与装置５０とからなる構成とした。【選択図】図１
0003108144.tif 000002
【実用新案登録請求の範囲】
【請求項１】
基体に設けられたモータで駆動される垂直軸と、該垂直軸の上端に嵌着し得る中心軸を有し、周辺に複数のマイクロチューブを取り付けるための舌片を有する回転可能な円板に、該舌片の外側にマイクロチューブを弾性的に嵌着し得る嵌着部を有す板バネからなるマイクロチューブホルダーを、舌片の裏面側にかけ挿入されるボルト及び金属スプリングにより一定の角度で左右に可動で常時は取り付けられたマイクロチューブが垂直になるように付勢して、弾性的に取り付けられるようにしたマイクロチューブ駆動装置と、基体に固定されたＬ字状アームに、前記回転円板の周囲のマイクロチューブホルダーに嵌着されたマイクロチューブの先端部に衝突する衝突軸を設けたショック付与装置とからなることを特徴とするマイクロチューブのショック装置。
【請求項２】
垂直軸と円板の中心軸とが螺合により着脱自在に構成されたことを特徴とする請求項１記載のマイクロチューブのショック装置。
【請求項３】
マイクロチューブホルダーは、外周側をマイクロチューブ挿脱用の開放口とし、上部にマイクロチューブの蓋部を押える板バネで構成されていることを特徴とする請求項１もしくは２の何れかに記載のマイクロチューブのショック装置。
【請求項４】
マイクロチューブホルダーは、マイクロチューブを弾性的に嵌着し得る嵌着部を連珠状に２連に有することを特徴とする請求項１、２、もしくは３の何れかに記載のマイクロチューブのショック装置。
【請求項５】
衝突軸は、Ｌ字状アームに高さを調節しうるように縦孔にネジ止するようにしたことを特徴とする請求項１、２、３、もしくは４の何れかに記載のマイクロチューブのショック装置。
【請求項６】
基体の下部に該基体を支持する基台を設け、該基台の側面と基体の側面とを横軸により軸着し、固定ネジを基台の側面に設けた横軸を中心とした円弧状の長孔に挿通して基体の側面をネジ止してあることを特徴とする請求項１、２、３、４、もしくは５の何れかに記載のマイクロチューブのショック装置。
【請求項７】
マイクロチューブは、開閉自在の蓋を設けた蓋部を有す有底の、全体を筒状としてあるプラスチックにより成型されたことを特徴とする請求項１、２、３、４、５、もしくは６の何れかに記載のマイクロチューブのショック装置。
【考案の詳細な説明】
【技術分野】
【０００１】
本考案は主として分子生物学または生化学研究分野においてマイクロチューブのショック装置に関し、詳しくは試料を封入したマイクロチューブを駆動回転する円板に取り付けて従回動させ混合する装置を改良するものである。
【背景技術】
【０００２】
主として分子生物学または生化学研究分野において、試料を封入したマイクロチューブを駆動回転する円板に取り付けて従回動させ混合する装置としては、図９に示すように、基体に設けられたモータで駆動される平行軸に垂直に軸装した表面に複数のマイクロチューブを平行として取り付け得る回転可能な円板に試料を封入したマイクロチューブを取り付け、該マイクロチューブを円板を回転して従回動させて封入した試料の混合をする装置として従来より広く実施されていた。
【０００３】
即ち前記従来の装置は、マイクロチューブは取り付けした垂直な円板の回転により従回動して該マイクロチューブの蓋部が底部より下方に位置する際には、封入した試料が自重により下方へと流動または落下して蓋部方向に集まり、更にマイクロチューブが従回動して該マイクロチューブの底部が蓋部より下方に位置する際には、封入した試料が自重により下方へと流動または落下して底部方向に集まり、また更にマイクロチューブが従回動し続けて、封入した試料の底部乃至蓋部における反復的な流動または落下を繰返すことにより該試料の混合をするものである。
【０００４】
しかしながら前記従来の装置は、円板に取り付けたマイクロチューブの従回動により封入した試料を底部乃至蓋部の流動または落下させることのみで混合するものであり、特にマイクロチューブの蓋部や底部の内側面において、試料の一部または全部が底部乃至蓋部を流動または落下せず、マイクロチューブ内側面に付着しまま留まることが多くあり、殊に混合する試料が微量なものとなれば顕著なものとなり、これにより試料を十分に混合することができず、十分な混合物を得ることが出来なかったり、複数の試験管に亘り混合する際にバラつきが生じて十分な比較をすることが困難であった。
【０００５】
前述の難点に鑑み、本考案の考案者により前記従来の装置を改良するものとして、図１０に示すように、基体に設けられたモータで駆動される平行軸に垂直に軸装した表面の周部に複数のマイクロチューブを平行としてボルト及びスプリングで一定の角度で左右に可動で常時は取り付けられたマイクロチューブの先端が円板の周縁より法線方向に突出するように付勢して弾性的に取り付け得る回転可能な円板と、前記円板に取り付けたマイクロチューブの先端に衝突する前記基体に固定された衝突軸を有し、前記円板に試料を封入したマイクロチューブを取り付け、該マイクロチューブを円板を回転して従回動させて封入した試料の混合をするマイクロチューブのショック装置としたものが提案されている（例えば、特許文献１参照。）。
【０００６】
即ち前記マイクロチューブのショック装置は、前述の従来の装置における円板に取り付けたマイクロチューブの従回動により封入した試料の底部乃至蓋部における反復的な流動または落下を繰返すことにより該試料の混合をする構成に加えて、マイクロチューブは取り付けした垂直な円板の回転により従回動して、該マイクロチューブの先端部に前記衝突軸に衝突し（図１１参照。）、更に従回動して円板に取り付けしたマイクロチューブが回転して傾き（図１２参照。）、また更に従回動して該マイクロチューブが更に回転して傾き先端が前記衝突軸を通過して、該マイクロチューブはスプリングのバネ作用で強振され、前記衝突軸との衝突前の状態に復元する構成としたものである（図１３参照。）。
【０００７】
以上の如く構成したマイクロチューブのショック装置は、マイクロチューブ先端部が振られることにより生ずる遠心力で、該マイクロチューブ内部に封入した試料のうち蓋部や側面にある試料が自重で底部にその全量を流動または落下して集まることにより、マイクロチューブの内部に封入した試料を混合することができる。
【０００８】
【特許文献１】実用新案登録第３０８５４１６号公報
【考案の開示】
【考案が解決しようとする課題】
【０００９】
前述のマイクロチューブのショック装置は、マイクロチューブ内部に封入して混合する試料の全量が液体試料である際には、該マイクロチューブの容量の半分程度の分量の試料であれば、マイクロチューブ内部に封入して前述の混合処理をしてもマイクロチューブ内部の面に付着し難く十分な混合をすることが可能である。
【００１０】
しかしながら、前述のマイクロチューブのショック装置は、前記混合処理が、例えば０．５ｍｌのマイクロチューブの内部において０．１ｍｌの液体試料を混合するような、容器に対して微量の試料の混合である場合には適さず、該試料がマイクロチューブ内部の側面や特に蓋部や側面に付着して、従回動するマイクロチューブ内で液体試料と共に流動または落下すること無く、液体試料と試料片との十分な混合処理をすることが出来ないという難点があった。
【００１１】
更に、前述のマイクロチューブのショック装置は、マイクロチューブ内部に封入して混合する試料が液体試料と試料片とである際には、該試料片が例えば免疫沈降法に用いるビーズ等の混合しようとする液体試料に対して比重が大きく、且つ該試料片が表面が面に対してに点または微小面積で接する球状等の試料であれば、マイクロチューブ内部に封入して前述の混合処理をしてもマイクロチューブ内部の面に付着し難く十分な混合をすることが可能である。
【００１２】
しかしながら、前述のマイクロチューブのショック装置は、前記試料片が、混合しようとする液体試料に対して比重が小さく、又は該試料片が表面が面に対して面で接する板状や扁平状等の試料である場合には適さず、該試料片がマイクロチューブ内部の側面や特に蓋部や底部に付着して、従回動するマイクロチューブ内で液体試料と共に流動または落下すること無く、液体試料との十分な混合処理をすることが出来ず、殊に該試料片が例えばＤＮＡの解析をしようとする爪片等の混合しようとする液体試料に対して比重が小さく薄板状であれば、より密着状に付着して液体試料との十分な混合処理をすることが出来ず、また該試料のマイクロチューブ内側の面に付着している面が混合しようとする液体試料と接しないという難点があった。
【００１３】
そこで、これら難点を解消した微量な試料の混合処理や液体試料と試料片との混合処理であっても十分に混合処理することのできるマイクロチューブのショック装置を提供することを本考案が解決しようとする課題とした。
【課題を解決するための手段】
【００１４】
本考案によるマイクロチューブのショック装置は、前述の課題を解決するための手段として、基体に設けられたモータで駆動される垂直軸と、該垂直軸の上端に嵌着し得る中心軸を有し、周辺に複数のマイクロチューブを取り付けるための舌片を有する回転可能な円板に、該舌片の外側にマイクロチューブを弾性的に嵌着し得る板バネからなるマイクロチューブホルダーを、舌片の裏面側にかけ挿入されるボルト及び金属スプリングにより一定の角度で左右に可動で常時は取り付けられたマイクロチューブが垂直になるように付勢して、弾性的に取り付けられるようにしたマイクロチューブ駆動装置と、基体に固定されたＬ字状アームに、前記回転円板の周囲のマイクロチューブホルダーに嵌着されたマイクロチューブの先端に衝突する衝突軸を設けたショック付与装置とからなる構成とした。
【００１５】
即ち、本考案によるマイクロチューブのショック装置は、マイクロチューブは取り付けた水平な円板の回転により従回動して、該マイクロチューブの先端部に前記衝突軸に衝突し、更に従回動して円板に取り付けしたマイクロチューブが回転して傾き、また更に従回動して該マイクロチューブが更に回転して傾き先端が前記衝突軸を通過して、該マイクロチューブはスプリングのバネ作用により強振され、前記衝突軸との衝突前の状態に復元する構成としたものである。
【００１６】
これにより本考案によるマイクロチューブのショック装置は、混合する試料を封入したマイクロチューブを概ね垂直としたまま従回動し、マイクロチューブ内部に封入した試料がマイクロチューブ底部が強振されて、これにより生ずる遠心力と重力とで該マイクロチューブ内部に封入した試料のうち蓋部や側面に付着した試料が自重で底部にその全量を流動または落下して集まることとなり、マイクロチューブ内部に封入した試料を該マイクロチューブ内部の蓋部や側面への試料の付着を伴わず、その全量を十分に混合することができる。
【００１７】
更に、本考案によるマイクロチューブのショック装置は上記構成と共に、垂直軸と円板の中心軸とが螺合により着脱自在に構成してあることが望ましく、試料を封入した複数のマイクロチューブの円板への取り付けや円板からの取り外しを、該円板を基体より取り外した状態で行うことができ、該作業を行い易いと共に、一度に試料を封入した複数のマイクロチューブの装置への取り付けや取り外しを行うことができ装置の使用効率がよく、更に、複数の円板を用いて装置に取り付けた混合処理を終えた試料を封入してある複数のマイクロチューブと次に装置に取り付けて混合処理をする試料を封入した複数のマイクロチューブとを一度に交換することができ装置の使用効率がよりよく、また、混合処理を終えた試料について他の処理を行うに際しても、混合処理を終えた試料を封入してある複数のマイクロチューブを取り付けたままの状態で円板を装置より取り外し、そのまま該試料を封入したマイクロチューブと共に該円板ごと恒温装置に入れる等の他の処理をすることも容易となり効率よく行うことができる。
【００１８】
また、本考案によるマイクロチューブのショック装置は上記構成と共に、マイクロチューブホルダーは、外周側をマイクロチューブ挿脱用の開放口とし、上部にマイクロチューブの蓋部を押える板バネで構成されていることが望ましく、マイクロチューブを嵌着や取り外しが容易であると共に、前記衝突軸との衝突やその後の強振によっても外れず、嵌着したマイクロチューブの蓋部方向への抜けや蓋の開放を防ぐことができる。
【００１９】
また、本考案によるマイクロチューブのショック装置は上記構成と共に、マイクロチューブホルダーは、マイクロチューブを弾性的に嵌着し得る嵌着部を連珠状に２連に有する構成としてもよく、該２連の嵌着部はそれぞれ径の異なるマイクロチューブを嵌着するよう大きさの異なるものとしてある。
【００２０】
また、本考案によるマイクロチューブのショック装置は上記構成と共に、マイクロチューブの先端部に衝突する衝突軸は、Ｌ字状アームに高さを調節しうるように縦孔にネジ止するようにしてあることが望ましく、マイクロチューブの内容量の差等による形状の違いに応じて調節して対応することができ、また、衝突する位置を調節し、その後の強振の振れ幅を調節して混合の強度を調節することができる。
【００２１】
加えて、本考案によるマイクロチューブのショック装置は上記構成と共に、該垂直軸は、基体の下部に、該基体を支持する基台を設け、該基台の側面と基体の側面とを横軸により軸着し、固定ネジを基台の側面に設けた横軸を中心とした円弧状の長孔に挿通して基体の側面をネジ止してあり、基体と基台とをマイクロチューブ駆動装置の設置面に対する垂直軸の角度の調整を可能としてあるとよい。
【００２２】
また、本考案によるマイクロチューブのショック装置は上記構成と共に、円板に取り付けるマイクロチューブは、開閉自在の蓋を設けた蓋部を有す有底の、全体を筒状としてあるプラスチックにより成型された構成としてあることが望ましく、衝突軸との衝突やその後の強振にも耐え得るものとなり、あらゆる試料に対して無反応の無極性のものとなる。
【考案の効果】
【００２３】
上述の如く構成したことにより本考案によるマイクロチューブのショック装置は、混合する試料を封入したマイクロチューブを概ね直立として混合することができ、該マイクロチューブ内部の蓋部や側面に試料が付着し難く、マイクロチューブの容量に対して微量の試料であっても、更に、マイクロチューブに封入して混合する試料が液体試料のみならず液体試料と試料片とであっても十分に混合することができる。
【００２４】
更に、本考案によるマイクロチューブのショック装置は、円板に取り付けするマイクロチューブを従来の装置の如く垂直円板に放射線状の配置に取り付けることがなく、全てのマイクロチューブを直立状に取付するため、混合する前後にもマイクロチューブの内部に封入した試料がマイクロチューブ内の蓋部や上部側面に付着することがなく、複数のマイクロチューブに亘り同じ条件で混合を開始して、前記混合処理をして、該複数のマイクロチューブに亘り同じ条件で混合した試料を得ることができる。
【００２５】
また、本考案によるマイクロチューブのショック装置は、衝突軸の位置を調節して、円板に取り付けるマイクロチューブにその大きさに適した強振を与えることができ、マイクロチューブに封入して混合する試料に応じて強振の強度を調節することができる。
【００２６】
加えて、本考案によるマイクロチューブのショック装置は、基台を設けて円板の角度を調整して、試料を混合処理するに様々な角度の条件で試行することが可能となり、分子生物学または生化学研究分野の各分野の基礎研究における実験において、混合する試料に最適な該角度を模索または模索することができ有益なものとなる。
【００２７】
また、本考案によるマイクロチューブのショック装置は、マイクロチューブをプラスチックよりなるものとして、あらゆる試料の混合に用いることができる。
【考案を実施するための最良の形態】
【００２８】
以下、本考案を実施するための最良の形態について詳説する。
【００２９】
本考案によるマイクロチューブのショック装置１０は、図１等に示すように、基体２１に設けられたモータ２２で駆動される垂直軸２３と、該垂直軸２３の上端に嵌着し得る中心軸３１を有し、周辺に複数のマイクロチューブ４０を取り付けるための舌片３２を有する回転可能な円板３０に、該舌片３２の外周側にマイクロチューブ４０を弾性的に嵌着し得る板バネからなるマイクロチューブホルダー４１を、舌片３２の裏面側にかけ挿入されるボルト４２及び金属スプリング４３により一定の角度で左右に可動で常時は取り付けられたマイクロチューブ４０が垂直になるように付勢して、弾性的に取り付けられるようにしたマイクロチューブ駆動装置２０と、基体２１に固定されたＬ字状アーム５１に、前記回転円板３０の周囲のマイクロチューブホルダー４１に嵌着されたマイクロチューブ４０の先端部に衝突する衝突軸５２を設けたショック付与装置５０とからなる構成としてある。
【００３０】
前記垂直軸２３は、基体２１に内装のモータ２２により駆動回転する軸または必要時応じて減速等する駆動伝達手段を介して駆動回転する軸であり、望ましくは、基体２１に設けた操作部２４を操作してモータ２２の回転速度を調節して垂直軸２３の回転速度を調節可能としてあり（図１参照。）、必要に応じて混合処理の再現性をより高めるために基体２１に表示部２５を設けて垂直軸２３の回転数を表示しても良い。
【００３１】
前記舌片３２は、全体板状の円板３０を周縁を屈曲してなる一連の部材としてあることが強度と製造コストの観点から好ましく（図２等参照。）、またこれを所要複数設けるに等間隔として円板が回転した際のバランスを良くしてあるとよい（図１等参照。）。
【００３２】
前記衝突軸５２は、基体２１に設けた水平な水平基部２６を介して基体２１に固定したＬ字状アーム５１に水平に設けてある金属等よりなる強質な円柱部材で、該基体２１に所要数設けてあり、側面にはマイクロチューブ４０の先端部が衝突して擦過することから、モータ等への負荷を小さくするため、該マイクロチューブ４０に対して引っ掛りのない滑らかな表面としてある（図２等参照。）。
【００３３】
前記マイクロチューブホルダー４１は、基部４１ａの内周側に固定状に垂設したボルトを、舌片３２に設けた取り付け孔に外周側より挿通して、該舌片３２の内周側でナット等の抜け止を設けて該ボルトを軸として回転可能に取り付けてあり、該マイクロチューブホルダー４１に嵌着したマイクロチューブ４０が垂直となるように、スプリング４３の一端をボルトの該舌片３２の内周側に取り付け他端を舌片３２に取り付けて、該マイクロチューブ４１と舌片３２とを連結してあり、該マイクロチューブ４０が常時は垂直となり、外力を加えて傾けても該外力がなくなれば復元して垂直となる（図２等参照。）。
【００３４】
上述に加えて、本考案によるマイクロチューブのショック装置はその垂直軸２３を、図１等に示すように、円板３０を垂直軸２３の上端に垂直に嵌着してあり、望ましくは、垂直軸２３上端と円板の中心軸とに対応するネジを螺刻して着脱自在に垂直軸２３の回転方向と逆向きに螺合することとしてあるとよい。
【００３５】
更に、本考案によるマイクロチューブのショック装置はそのマイクロチューブホルダー４１を、図２等に示すように、板状の基部の両側を外周側に屈曲して一対の板バネとし、該板バネの先端の間隙をマイクロチューブ４０挿脱用の開放口４１ｂとし、マイクロチューブを該開放口４１ｂより嵌着部４１ｃに嵌着して側面を弾性的に保持することとしてあり、また該基部の上側を外周側に屈曲して嵌着したマイクロチューブ４０の蓋部を押える板バネ４１ｄとしてあることが望ましい。
【００３６】
また、本考案によるマイクロチューブのショック装置はそのマイクロチューブホルダー４１を、図３に示すように、マイクロチューブ４０を弾性的に嵌着し得る前記嵌着部４１ｃを水平断面の概形を連珠状に２連に設けてもよく、この場合、容量が異なり直径が異なる２つのマイクロチューブ４０を１つのマイクロチューブホルダー４１で嵌着し得るように、それぞれのマイクロチューブに適合するよう嵌着部４１の大きさを異にしてあるとよい。
【００３７】
また、本考案によるマイクロチューブのショック装置はその衝突軸５２を、図２等に示すように、屈曲した板状のＬ字状アーム５１の垂直面に設けた縦孔５１ａに垂直位置の調節をしうるように水平にネジ止してあることが望ましく、また、該Ｌ字状アーム５１の水平面には長孔を設けて、基体の取り付け基部に水平位置の調節をしうるようにネジ止してあることが好ましい。
【００３８】
加えて、本考案によるマイクロチューブのショック装置はその該垂直軸２３を、図１等に示すように、前記基体２１の下部に、該基体２１を支持する基台２７を設け、該基台２７の側面と基体２１の側面とを横軸２７ａにより軸着し、固定ネジ２７ｂを基台２７の側面に設けた横軸２７ａを中心とした円弧状の長孔２７ｃに挿通して基体２１側面をネジ止し、基体２１と基台２７とをマイクロチューブ駆動装置２０の設置面に対する垂直軸２３の角度の調整を可能としてあり、分子生物学または生化学研究分野の各分野の基礎研究における実験において、様々な試料について垂直軸２３の角度を様々に調整して混合処理を行いその結果を検証すること可能としてあり、該実験の再現性を担保することから前記長孔２７ｃに沿って目盛を付して前記固定ネジ２７ｂの位置でマイクロチューブ駆動装置２０の設置面に対する垂直軸２３の角度を示すこととしてあるとよい。
【００３９】
また、本考案によるマイクロチューブのショック装置はその該垂直軸２３を、少なくとも垂直軸２３を垂直乃至水平の範囲に調整可能として垂直軸２３に冠着した円板３０を水平乃至垂直の範囲に調整可能としてあるとよく、通常は、マイクロチューブ４０を垂直として従回動して混合処理することが好ましいことから、垂直軸２３を垂直に調整して嵌着した円板３０を水平として該円板に取り付けたマイクロチューブ４０を垂直として混合処理し（図４参照。）、マイクロチューブに封入して液体試料と混合処理する試料片、が該マイクロチューブを垂直としたときに混合しようとする液体試料の液面より一部が突出するような長さの試料片である等の際には、マイクロチューブ４０を水平として該マイクロチューブの従回動により該試料をマイクロチューブ内部の側面を巡回させて混合処理することもあり、垂直軸２３を水平に調整して嵌着した円板を垂直とし、該円板に取り付けたマイクロチューブ４０を水平にして混合処理し得るようにしてあることが好ましい（図５参照。）。
【００４０】
更に、本考案によるマイクロチューブのショック装置１０に用いるマイクロチューブ４０は、一端を開閉自在の蓋を設けた蓋部とし、他端を円錐状に先細の底部とした全体筒状であり、一般的には、内容量が０．５ｍｌのマイクロチューブは概ね直径が７．５ｍｍで蓋部乃至底部の長さが３０ｍｍ程であり、内容量が１．５ｍｌのマイクロチューブは概ね直径が１０．５ｍｍで蓋部乃至底部の長さが４０ｍｍ程の、分子生物学または生化学研究分野において広く用いられているものであり、材質としてはポリオレフィンあるいはポリエステル等の内部の試料に無害なプラスチックが好ましい。
【００４１】
上述した本考案によるマイクロチューブのショック装置１０による混合処理は、円板３０の直径が７０ｍｍで該円板３０の中心軸３１とマイクロチューブホルダー４１に取り付けたマイクロチューブ４０の中心までの距離が８５ｍｍであるときは、混合する試料に応じて１乃至１５ｒｐｍの範囲で混合処理することが好ましい。
【００４２】
また、上述した本考案によるマイクロチューブのショック装置１０による混合処理は、基体２１に偏心軸を有す錘を軸装し回転して振動する偏心モータを取付し円板３０を微振動させて、好ましくは垂直軸２３の一部を弾性部材として前記円板３０の微振動を基体に伝達し難くしてあり、或いは、円板３０の下面または垂直軸２３の側周に凹凸を設けこれを擦過し微振動させる爪を基体２１に固定して円板３０に微振動を与えつつ行うことにより、更に効率よく行うことが可能となる。
【００４３】
上述の如く構成したことにより本考案によるマイクロチューブのショック装置１０は、図２に示すように、円板３０に設けた舌片３２に取り付けたマイクロチューブホルダー４１に垂直に嵌着したマイクロチューブ４０は、垂直軸２３の駆動回転により円板３０の回転する方向Ａ１に従回動して、マイクロチューブ４０の先端部に衝突軸５２が衝突し（図６参照。）、更に従回動することによりマイクロチューブ４０がマイクロチューブホルダー４１と共に回転して傾き（図７参照。）、また更に従回動して該マイクロチューブ４０が更に傾き先端が衝突軸５２を通過して、該マイクロチューブ４０はマイクロチューブホルダー４１と舌片３２とを連結するスプリング４３の復元力により該マイクロチューブ４０が衝突軸５２との衝突前の状態に先端が円弧状の軌跡Ａ２を描いて復元することとなる（図８参照。）。
【００４４】
これにより本考案によるマイクロチューブのショック装置１０は、マイクロチューブ４０に封入した試料を、混合処理する試料が微量であっても、また、液体試料のみならず液体試料と例えば該試料片がＤＮＡの抽出を目的とした爪片等のような薄板状でかつ軽量の試料片であっても、混合処理中に蓋部や側面に付着することなく、これらを衝突軸５２との衝突とその後の強振により十分に混合することができ、複数のマイクロチューブ４０に亘り同時に混合しても均質な混合処理をすることができる。
【産業上の利用可能性】
【００４５】
本考案によるマイクロチューブのショック装置は、主として分子生物学または生化学研究分野において、特に試料片からＤＮＡ等抽出を目的とした微量の該試料片と液体試料との混合処理に適し、これを十分かつ均質に行うことができ後の分析処理等に適した試料を得ることができる。
【図面の簡単な説明】
【００４６】
【図１】マイクロチューブのショック装置の正面図
【図２】マイクロチューブホルダーの斜視図
【図３】２連のマイクロチューブホルダーの斜視図
【図４】円板を水平に調整した状態の側面図
【図５】円板を垂直に調整した状態の側面図
【図６】衝突軸の衝突を示す概要図
【図７】衝突軸の衝突を示す概要図
【図８】衝突軸の衝突を示す概要図
【図９】従来装置の概要を示す正面図
【図１０】従来装置の概要を示す正面図
【図１１】従来装置の衝突軸の衝突を示す概要図
【図１２】従来装置の衝突軸の衝突を示す概要図
【図１３】従来装置の衝突軸の衝突を示す概要図
【符号の説明】
【００４７】
１０    マイクロチューブのショック装置
２０    マイクロチューブ駆動装置
２１    基体
２２    モータ
２３    垂直軸
２４    操作部
２５    表示部
２６    水平基部
２７    基台
２７ａ    横軸
２７ｂ    固定ネジ
２７ｃ    長孔
３０    円板
３１    中心軸
３２    舌片
４０    マイクロチューブ
４１    マイクロチューブホルダー
４１ａ    基部
４１ｂ    開放口
４１ｃ    嵌着部
４１ｄ    蓋部板バネ
４２    ボルト
４３    スプリング
５０    ショック付与装置
５１    Ｌ字状アーム
５１ａ    縦孔
５２    衝突軸
Ａ１    マイクロチューブの従回動方向
Ａ２    マイクロチューブの先端の軌跡
【図１】
0003108144.tif 000003
【図２】
0003108144.tif 000004
【図３】
0003108144.tif 000005
【図４】
0003108144.tif 000006
【図５】
0003108144.tif 000007
【図６】
0003108144.tif 000008
【図７】
0003108144.tif 000009
【図８】
0003108144.tif 000010
【図９】
0003108144.tif 000011
【図１０】
0003108144.tif 000012
【図１１】
0003108144.tif 000013
【図１２】
0003108144.tif 000014
【図１３】
0003108144.tif 000015